(57)【要約】【課題】  この発明は、美観が良く、棚板の脱落の虞がない陳列棚装置を提供する。【解決手段】  この発明は、両側に設けられた支柱１にブラケット２を取り付け、両ブラケット２、２で棚板３を支持する陳列棚装置において、ブラケット２に棚板３の端面部に対して斜め上方向に伸びる係止部２０を設け、棚板３の端面に係止部２０に対応し、斜め上方向に伸びる挿入溝を有する挿入口３０が設けられ、棚板３の挿入溝にブラケット２の係止部２０を挿入させて係合し、棚板３にブラケット２を取り付ける。【選択図】  図２
2006280810.tif 000002
【特許請求の範囲】
【請求項１】
両側に設けられた支柱にブラケットを取り付け、両ブラケットで棚板を支持する陳列棚装置において、前記ブラケットに棚板の端面部に対して斜め上方向に伸びる係止部を設け、前記棚板の端面に前記係止部に対応し、斜め上方向に伸びる挿入溝が設けられ、前記棚板の挿入溝に前記ブラケットの係止部を挿入させて係合し、前記棚板にブラケットを取り付けることを特徴とする陳列棚装置。
【請求項２】
前記ブラケットの後端部に設けた係止フックと、前記支柱に設けられた前記係止フックと係合する係合穴と、を備え、前記棚板を係合したブラケットの係止フックを前記支柱の係合穴に係止し、前記支柱に棚板を取り付けることを特徴とする請求項１に記載の陳列棚装置。
【発明の詳細な説明】
【技術分野】
【０００１】
この発明は、陳列棚装置に係り、更に詳しくは、ブラケットを介して支柱に棚板を取り付けた陳列棚装置に関するものである。
【背景技術】
【０００２】
従来、陳列棚装置において、両側に設けた支柱にブラケットを取り付け、このブラケットに棚板をビス等を用いて支持するものが知られている（例えば、特許文献１参照）。
【０００３】
図１４及び図１５に、棚板として木材等を用いた従来の陳列棚装置を示す。図１４は、棚板とブラケットの取り付け部分を示す斜視図、図１５は同断面図である。図１５に示すように、適当な間隔を置いて設置された支柱（チャネル型サポート）１に設けられた係止穴１１にブラケット２００の係止フックが挿入され、両者は固定される。ブラケット２００は、棚板３００を載置するようにL字状に形成されている。そして、このL字型の載置部分に無垢板や合板で形成された棚板３００を載置し、下方部からビス２０１を用いて両者を固定している。
【０００４】
上記した取り付け方法では、ビス等による締め付け作業が必要となり、作業性が良くない。また、取り付け用のビス２０１が外部に露出するため、棚板の下方向からの美観も良くない。
【０００５】
図１６及び図１７に、棚板として木材等を用いた従来の他の陳列棚装置を示す。図１６は、棚板とブラケットの取り付け部分を示す斜視図、図１７は同断面図である。図１６、図１７に示すものは、ブラケット２１０の側方部に、ねじ穴を設け、側方からビス２１０により、ブラケット２１０と棚板３００とを固定している。
【０００６】
この図１６、図１７に示した構造のものも上記のものと同様に、ビス等による締め付け作業が必要となり、作業性が良くない。また、取り付け用のビス２１０が外部に露出するため、側方の美観が良くない。
【０００７】
そこで、ビス等を用いずに、棚板とブラケットを固定する方法を図１８及び図１９に示す。図１８は、棚板とブラケットの取り付け部分を示す斜視図、図１９は同断面図である。この図１８及び図１９に示すものは、ブラケット２２０に棚板側へ延出する棚板方向と平行な挿入片２２１が形成されている。そして、棚板３１０には、挿入片２２１に対応して挿入溝３１１が設けられている。
【０００８】
棚板３１０の挿入溝３１１にブラケット２２０の挿入片２２１を差し込むことによって、両者を固定することができる。
【０００９】
この方法によれば、外部から取り付け用のビスなどが見えず、美観に優れた陳列棚が提供できる。
【特許文献１】特開２００２−３４５６０９号公報
【発明の開示】
【発明が解決しようとする課題】
【００１０】
しかしながら、図１８及び図１９に示したものにおいては、棚板３１０両側にブラケット２２０を取り付け、支柱１にブラケット２２０を取り付けた状態においてもブラケット２２０の横揺れは規制することはできない。すなわち、ブラケット２２０と棚板３１０とは、両者を挿入しているだけであるので、左右方向に対して自由に移動が可能である。このため、ブラケット２２０が横揺れした際に、ブラケット２２０の挿入片２２１が挿入溝３１１から外れ、棚板３１０が落下する虞がある。
【００１１】
この発明は、上記の事情に鑑みなされたものにして、美観が良く、棚板の脱落の虞がない陳列棚装置を提供することを目的とする。
【課題を解決するための手段】
【００１２】
この発明は、両側に設けられた支柱にブラケットを取り付け、両ブラケットで棚板を支持する陳列棚装置において、前記ブラケットに棚板の端面部に対して斜め上方向に伸びる係止部を設け、前記棚板の端面に前記係止部に対応し、斜め上方向に伸びる挿入溝が設けられ、前記棚板の挿入溝に前記ブラケットの係止部を挿入させて係合し、前記棚板にブラケットを取り付けることを特徴とする。
【００１３】
また、この発明は、前記ブラケットの後端部に設けた係止フックと、前記支柱に設けられた前記係止フックと係合する係合穴と、を備え、前記棚板を係合したブラケットの係止フックを前記支柱の係合穴に係止し、前記支柱に棚板を取り付けることを特徴とする。
【発明の効果】
【００１４】
上記した構成によれば、棚板とブラケットとの取り付けを容易にして且つビス等を用いず棚板をブラケットに固定できるので、美観が良くなる。更に、ブラケットを支柱に係合した後は、ブラケットの横揺れが抑制され、棚板の脱落が防止できる。
【発明を実施するための最良の形態】
【００１５】
この発明の実施の形態について図面を参照しながら詳細に説明する。なお、図中同一または相当部分には同一符号を付し、説明の重複を避けるためにその説明は繰返さない。
【００１６】
図１は、この発明の陳列棚装置を示す斜視図である。図１で示すように、棚板３の間隔に対応した幅で支柱１、１が設けられている。支柱１には、ブラケット２の係止フックが挿入される多数の係止穴１１が上下等間隔に設けられている。ラワン材などの無垢材、合板、ＭＤＦ、パーティクルボード、フラッシュ合板などからなる棚板３の両端にブラケット２が取り付けられ、このブラケット２、２の係止フックを所定の係合穴１１に係合させて、支柱１、１に棚板３が固定される。
【００１７】
この発明は、棚板３とブラケット２との取り付けを容易にして且つ美観が良く、更に、ブラケット２を支柱１に係合した後は、ブラケット２の横揺れを防止できるようにしたものである。
【００１８】
図２は、この発明の実施例における棚板とブラケットの取り付け部分を示す斜視図、図３は同断面図である。図４は、この発明の実施例に用いられる棚板の一実施例を示し、棚板のブラケット取り付け側の側面図、図５は、図４のＡ−Ａ線断面図である。図６ないし図８は、この発明に用いられるブラケットの一実施例を示し、図６は側面図、図７は上面図、図８は正面図である。
【００１９】
図６ないし図８に示すように、この発明の実施例に用いられるブラケット２は、後端部に上下２個以上、この実施例では３個の倒Ｌ字型に垂れ下がる係止フック２２が形成されている。この係止フック２２、２２間は、支柱１に設けられた係止穴１１、１１の間隔と等しく形成されている。そして、このブラケット２の側面には、棚板３に挿入される係止部２０が設けられている。この係止部２０は、棚板３内に挿入される挿入部２０ａと基部２０ｂとからなる。そして、基部２０ｂと挿入部２０ａとの間は、例えば４５度の角度で挿入部２０ａが斜め上方に折り曲げられている。そして、基部２０ｂがブラケット２の側面に固定されている。この結果、ブラケット２の本体に対して、斜め４５度上方に挿入部２０ａが延出して形成されることになる。なお、ブラケット２の本体に対する挿入部２０ａの角度は、４５度に限らず、斜め上方向に向いていればよい。
【００２０】
図４及び図５に示すように、棚板３の側面には、ブラケット２の係止部２０に対応した挿入口３０が設けられている。挿入口３０はブラケット２の基部２０ｂに対応する開口部３０ｂとこの開口部３０ｂから４５度の角度でもって上側に穿たられた係止溝部３０ａとを有する。
【００２１】
図２、図３に示すように、ブラケット２の係止部２０を棚板３の挿入口３０に臨ませ、係止部２０の挿入部２０ａを係止溝部３０ａに挿入し、棚板３を下方向に移動させると、棚板３の挿入口３０の開口部３０ｂと係止溝部３０ａにブラケット２の基部２０ｂと挿入部２０ａがそれぞれ対応して取り付けられる。
【００２２】
棚板２の両側端部にそれぞれブラケット２を挿入して取り付け、ブラケット２、２を支柱１の係止穴１１に係合させることにより、ブラケット２、２を介して、棚板３が支柱１，１間に取り付けられる。
【００２３】
このように、棚板３とブラケット２、２とを用いて支柱１、１に取り付けることにより、棚板３とブラケット２、２とは斜め上方向に、例えば、４５度の角度を有して挿入部２０ａと挿入溝３０ａとが係合しているので、両者の横方向の移動は抑制され、ブラケット２の横揺れが防止できる。この結果、棚板３が脱落する虞はない。また、棚板３とブラケット２間の取り付けは、ねじ等を必要とせず固定できるので、美観を損ねることもない。更に、棚板３をブラケット２の上方から下に押し込むようにして、両者を固定できるので、取り付けの作業性も良好である。
【００２４】
次に、この発明の他の実施形態を図９ないし図１３に従い説明する。図９は、この発明に用いられる棚板の他の実施例を示し、棚板のブラケット取り付け側の側面図、図１０は、図３のＡ−Ａ線断面図である。図１１ないし図１３は、この発明に用いられるブラケットの他の実施例を示し、図１１は側面図、図１２は上面図、図１３は正面図である。
【００２５】
図１１ないし図１３に示すように、この発明の他の実施例に用いられるブラケット２は、前記第１の実施例と同じく後端部に３個の倒Ｌ字型に垂れ下がる係止フック２２が形成されている。この係止フック２２、２２間は、支柱１に設けられた係止穴１１、１１の間隔と等しく形成されている。そして、このブラケット２の側面には、棚板３に挿入される係止部２５が設けられている。この係止部２５は、棚板３内に挿入される挿入部２５ａと挿入部２５ａから下方向に伸びる基部２５ｂとからなる。
【００２６】
基部２５ｂと挿入部２５ａとの間は、例えば、４５度の角度で、基部２５ａから上方向に延びるように挿入部２５ａが斜め上方に折り曲げ形成されている。そして、基部２５ｂがブラケット２の側面に固定されている。この結果、ブラケット２の本体に対して、斜め４５度上方に挿入部２５ａが延出して形成されることになる。
【００２７】
図９及び図１０に示すように、棚板３の側面には、ブラケット２の係止部２０に対応した挿入口３０が設けられている。挿入口３０はブラケット２の基部２５ｂに対応する開口部３５ｂとこの開口部３５ｂから４５度の角度でもって上側に穿たられた係止溝部３５ａとを有する。
【００２８】
ブラケット２の係止部２５を棚板３の挿入口３５に臨ませ、係止部２５の挿入部２５ａを係止溝部３５ａに挿入し、棚板３を下方向に移動させると、棚板３の挿入口３５の開口部３５ｂと係止溝部３５ａにブラケット２の基部２５ｂと挿入部２５ａがそれぞれ対応して取り付けられる。
【００２９】
棚板２の両側端部にそれぞれブラケット２を挿入して取り付け、ブラケット２、２を支柱１の係止穴１１に係合させることにより、ブラケット２、２を介して、棚板３が支柱１、１間に取り付けられる。
【００３０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００３１】
この発明は、店舗などの陳列棚に用いられる。
【図面の簡単な説明】
【００３２】
【図１】この発明の陳列棚装置を示す斜視図である。
【図２】この発明の実施例における棚板とブラケットの取り付け部分を示す斜視図である。
【図３】この発明の実施例における棚板とブラケットの取り付け部分を示す断面図である。
【図４】この発明の実施例に用いられる棚板の一実施例を示し、棚板のブラケット取り付け側の側面図である。
【図５】図４のＡ−Ａ線断面図である。
【図６】この発明に用いられるブラケットの一実施例を示す側面図である。
【図７】この発明に用いられるブラケットの一実施例を示す上面図である。
【図８】この発明に用いられるブラケットの一実施例を示す正面図である。
【図９】この発明の実施例に用いられる棚板の他の実施例を示し、棚板のブラケット取り付け側の側面図である。
【図１０】図９のＡ−Ａ線断面図である。
【図１１】この発明に用いられるブラケットの他の実施例を示す側面図である。
【図１２】この発明に用いられるブラケットの他の実施例を示す上面図である。
【図１３】この発明に用いられるブラケットの他の実施例を示す正面図である。
【図１４】棚板として木材等を用いた従来の陳列棚装置における棚板とブラケットの取り付け部分を示す斜視図である。
【図１５】棚板として木材等を用いた従来の陳列棚装置における棚板とブラケットの取り付け部分を示す断面図である。
【図１６】棚板として木材等を用いた従来の陳列棚装置における棚板とブラケットの取り付け部分を示す斜視図である。
【図１７】棚板として木材等を用いた従来の陳列棚装置における棚板とブラケットの取り付け部分を示す断面図である。
【図１８】棚板として木材等を用いた従来の陳列棚装置における棚板とブラケットの取り付け部分を示す斜視図である。
【図１９】棚板として木材等を用いた従来の陳列棚装置における棚板とブラケットの取り付け部分を示す断面図である。
【符号の説明】
【００３３】
１  支柱
２  ブラケット
３  棚板
２０  係止部
２０ａ  挿入部
２０ｂ  基部
３０  挿入口
３０ａ  係止溝部
３０ｂ  開口部
【図１】
2006280810.tif 000003
【図２】
2006280810.tif 000004
【図３】
2006280810.tif 000005
【図４】
2006280810.tif 000006
【図５】
2006280810.tif 000007
【図６】
2006280810.tif 000008
【図７】
2006280810.tif 000009
【図８】
2006280810.tif 000010
【図９】
2006280810.tif 000011
【図１０】
2006280810.tif 000012
【図１１】
2006280810.tif 000013
【図１２】
2006280810.tif 000014
【図１３】
2006280810.tif 000015
【図１４】
2006280810.tif 000016
【図１５】
2006280810.tif 000017
【図１６】
2006280810.tif 000018
【図１７】
2006280810.tif 000019
【図１８】
2006280810.tif 000020
【図１９】
2006280810.tif 000021